(57)【要約】      （修正有）【課題】液晶を含む画面におけるキーボード部内の任意の領域を選択し、動音画材を取り込み、該動音画材を背景画として選択した領域内に貼付けることを特徴とするキーボード部着せ替えシステムを提供する。【解決手段】システムは、画像又は、図柄全体の上端か下端と横幅の両端位置とキーボード部や個々のキーや任意による領域の上端か下端と横幅の互いの両端の位置を合わせて読み込みを実施するが、該実施により画像を表示して領域内に余白ができる場合や領域外にはみ出る場合、左端か右端と縦幅の互いの両端の位置を合わせて読み込みを実施し、該実施による画像又は、図柄を拡大縮小、移動、変形を任意により各操作し、該各操作し、編集された動画や画像又は、図柄を選択された領域上で表示されている部分だけを背景として貼付けを実施する。【選択図】図１６
2020030761.tif 000002
【特許請求の範囲】
【請求項１】
液晶を含む画面におけるキーボード部内の任意の領域、またはキーの１個分又は複数個分により構成されキーが組み合わされた領域を選択し、撮影した動画や写真、絵文字、文字、スタンプ、アイコン、模様を含む画像又は図柄である画素材における動画等に付属する音源や新規に添付する音源を含む動音画材を取り込み、該選択された領域に該取り込まれた動音画材を背景画として貼付けることや
液晶を含む画面におけるキーボード部内に表示されている１個又は複数個のキーを選択し、動音画材を取り込み、該選択された各キー毎に同一の該取り込まれた動音画材を背景画として貼付けることにおいて、
該動音画材は、貼付け前にサイズ補正、移動、回転、傾き、顔補正 、顔かくし、色味、明るさ（コントラスト ）、登録された効果（エフェクト）や音量、音質調整等の編集可能な画像加工、編集ソフトなどの機能により編集がなされることを特徴とする液晶を含む画像キーボード部の背景の画像や音源を着せ替えるシステム。
【発明の詳細な説明】
【技術分野】
【０００１】
本発明は、液晶を含む画像に表示されるキーボードの背景とする画像と音源に関するものである。
【背景技術】
【０００２】
スマートフォン等の画面に表示されるキーボード部全体の背景を「背景画」とし、該背景画を業者が多彩な写真画像やデザインされた図柄画像等を着せ替え用として提供したり、自撮等の写真や風景写真が保存されている画像や付属のカメラにより撮影した画像などの写真や模様を含む画像又は、図柄等を「画材」とし、該画材を読み込み、該読み込んだ画材を任意により設定されたエフェクトなどが可能な画像編集ソフトにより編集、構成された画材を「画編材」とし、該画編材や画材を画面に表示されるキーボード部全体の背景として表示されている背景画として保存することで貼り付けて着せ替えたり、業者提供の画材には、あらかじめ設定されているキーボードのキー位置に合わせて各キーに模様や柄等を配置している背景画があった。
【０００３】
液晶画面におけるキーボード部内の任意の領域、またはキーの１個分又は複数個分により構成されキーが組み合わされた領域を選択し、模様を含む画像又は図柄である画素材を取り込み、該選択された領域に該取り込まれた画素材を背景画として貼付けることや液晶画面におけるキーボード部内に表示されている１個又は複数個のキーを選択し、模様を含む画像又は図柄である画素材を取り込み、該選択された各キー毎に同一の該取り込まれた画素材を背景画として貼付けることにおいて、該画素材は、貼付け前に拡大縮小、移動、または変形による編集がなされる液晶キーボードの背景の画像を着せ替える方法があった（特許文献１参照）。
【先行技術文献】
【特許文献】
【０００４】
【特許文献１】特願２０１７−１６２９０７号
【発明の概要】
【発明が解決しようとする課題】
【０００５】
キーボードの背景画において、キーボード部内の全領域又は、全領域内で任意により選択された領域を「任選領域」とし、該任選領域内に動画、写真や絵文字、文字、スタンプ、アイコン等に付属する音源や新規に添付した音源を含む画材や画編材を「動音画材」とし、該動音画材を読み込み取り入れる事を「任選読込」とし、キーボード部内のキーの１個又は複数個により組み合わされた領域を「組内領域」とし、該組内領域内に動音画材を読み込み取り入れる事を「組内読込」とし、組内領域における１個のキーを基準としたキー毎の領域内に動音画材を各読み込み取り入れる事を「個毎読込」とし、任選領域や組内領域を「指定領域」とし、任選読込や組内読込や個毎読込を「指定読込」とし、指定領域に指定読込された動音画材を拡大縮小、回転、傾き、図形の貼り付け、エフェクト、音制作、音量調整、音質調整などの編集可能な画像加工、編集ソフト「ａｖｉｕｔｌ」などの編集機能により動音画材を任意により編集し、該編集による変更を「動音編集」とし、任意による動音編集後の動音画材を「動音編材」とし、該動音編材及びの動音画材を各指定領域上で指定されている部分だけを背景画の部分として貼付けを実施し、該実施及び仮の確定となる貼付けの実施を「背景貼付」とし、該背景貼付された動音画材や動音編材を背景画として保存する方法が無く、動音画材における音源を添付や具備する方法も無かった。
【課題を解決するための手段】
【０００６】
キーボードの背景画において、任意により選択した動音画材全体の上端か下端と横幅の両端位置を任選領域の上端か下端と横幅の両端位置に合わせて拡大縮小をしながら任選読込を実施するが、該実施により動音画材を表示して任選領域内に余白ができる場合、左端か右端と縦幅の互いの両端の位置に合わせるように動音画材を拡大縮小しながら任選読込された動音画材を背景画として保存する。
【０００７】
キーボードの背景画において、任意により選択した動音画材全体の上端か下端と横幅の両端位置を組内領域の上端か下端と横幅の両端位置に合わせて拡大縮小をしながら組内読込を実施するが、該実施により動音画材を表示して組内領域内に余白ができる場合、左端か右端と縦幅の互いの両端の位置に合わせるように動音画材を拡大縮小しながら組内読込された動音画材を新たな背景画として保存する。
【０００８】
キーボードの背景画において、任意により選択した動音画材全体の上端か下端と横幅の両端位置を組内領域における、任意で小さい１個のキーを基準とした領域内の縦幅の両端位置に合わせた互いの中央に拡大縮小をしながら個毎読込するが、該個毎読込により動音画材を表示してキーの領域内における横幅方向の領域外にはみ出る場合、横幅の互いの両端の位置に合わせた互いの中央に組内領域における１個ずつのキーの領域毎に動音画材を拡大縮小しながら個毎読込により各選択されたキーに表示されている動音画材を新たな背景画として保存する。
【０００９】
任選読込や組内読込や個毎読込後の動音画材において、拡大縮小、回転、傾き、図形の貼り付け、エフェクト、音制作、音量調整、音質調整などの編集可能な画像加工、編集ソフト「ａｖｉｕｔｌ」（登録商標）などの編集機能により動音画材を任意により編集する動音編集した動音編材を背景の画像として背景貼付することを特徴とする液晶を含む画像キーボード部の背景の画像や音源を着せ替えるシステム。
【発明の効果】
【００１０】
キーボード全体の背景画だけの選択から、キーボード内で色んな領域やキーの個毎に、音源を含む色んな画像や模様を個人の好みに合わせて構成された背景画が提供できる。
【図面の簡単な説明】
【００１１】
【図１】従来のスマートフォンにおいて、ローマ字入力を実施するキーボード部が表示されているメモ帳アプリによる入力画面図
【図２】本発明において、「多様な着せ替え」アプリの起動により図１のメモ帳に表示されていたキーボード部と各設定を実施するための機能キーが表示され、「全キーの選択」キーをタップした次に「写真」キーを選択する設定画面図
【図３】本発明を実施するスマートフォン内に保存されている画像の図柄を背景画用の動音画材として選択した選択画像図
【図４】本発明における、設定画面のキーボード部全体の領域に図３での選択画像が任選読込され、「次の選択」キーを選択する設定画面図
【図５】本発明における、図４でキーボード部全体に表示されている背景画が背景貼付され、新たに四個のキーがタップされて「４個組内領域」とし、「カメラ」キーを選択する設定画面
【図６】本発明を実施するスマートフォン内のカメラ機能の撮影画面から撮影した風景写真の撮影画像図
【図７】本発明における、図５で選択された４個組内領域に図６での撮影画面が組内読込された設定画面図
【図８】本発明における、図７で組内読込された撮影画面を中央の位置に動音編集し、「次を選択」キーを選択する設定画面図
【図９】本発明における、図８で動音編集された撮影画像が背景貼付され、新たに１３個のキーがタップされて「１３個組内領域」とし、「写真」キーを選択する設定画面図
【図１０】本発明を実施するスマートフォン内に保存されている画像を背景画用の動音画材として選択された選択画像図
【図１１】本発明における、図９で選択された１３個組内領域に図１０の選択画像が組内読込され、「次の選択」キーを選択する設定画面図
【図１２】本発明における、図１１の１３個組内領域だけに表示された動音画材部分だけが背景貼付され、新たに１２個のキーがタップされて「１２個組内領域」とし、「アイテム」キーを選択する設定画面図
【図１３】本発明による、「多様な着せ替え」アプリに準備されている多数の図柄と「写真」キーと「カメラ」キーが選択でき、図柄に表示されている色の番号が表記されているデザイン図柄から図で示すデザイン図柄を選択する、スクロール式で表示が移動できる図柄スクロール画面図
【図１４】本発明における、１２個組内領域の１個ずつのキーに、図１３で選択したデザイン図柄が個毎読込され、「次の選択」キーを選択する設定画面図
【図１５】本発明における、１２個組内領域に個毎読込された各デザイン図柄を含む背景画が背景貼付され、「確定」キーを選択する設定画面図
【図１６】本発明における設定の終了後に、再度、ローマ字入力によるメモ帳アプリが起動し、文字入力状態における着せ替えられたキーボード部が表示されているメモ帳アプリによる入力画面図
【図１７】本発明による、「多様な着せ替え」アプリの起動により、図２と同じ構成で図１６で配置された新しいキーボード部が表示され「取り込み領域」キーを選択する設定画面図
【図１８】本発明における、図１７で「取り込み領域」キーを選択により動音画材を読み取り貼り付けるための指定領域が設定され、該設定された指定領域がキーボード中央上下の位置に任意の大きさで設定された設定画面図
【図１９】本発明における、図１８で設定された指定領域の領域範囲を拡大縮小、移動、変形などの実施を「領域編集」とし、該領域編集の実施によりキーボード部の左側半分の位置に配置し、「写真」キーを選択する設定画面図
【図２０】本発明において、図１９で設定された指定領域に図１０の選択画像が任選読込され、「次を選択」キーを選択する設定画面図
【図２１】本発明における、図２０で任選読込された選択画像の部分が背景貼付され、「確定」キーを選択する設定画面図
【図２２】本発明における設定の終了後に、再々度、ローマ字入力によるメモ帳アプリが起動し、図２１で「確定」キーのタップにより背景貼付された背景画が着せ替えられたキーボード部が表示されているメモ帳アプリによる入力画面図
【図２３】本発明による、「多様な着せ替え」アプリの起動により、縦表示のテンキーによるキーボード部と図２と同じ機能キーが設定されていて背景画を制作する縦表示の画面で、左図では指定領域がキーボード部全体に設定され、「カメラ」キーを選択する設定画面で、右図が左図から数回の操作後で、図１０の選択画像を中央に移動し、「確定」キーを選択する画面による各設定画面図
【図２４】本発明による、「多様な着せ替え」アプリの起動により、縦表示の「ＱＷＥＲＴＹ」によるキーボード部と図２３同じ機能キーが設定されていて背景画を制作する縦表示の画面で、左図が組内読込された図１０の選択画像が中央に移動され、「次を選択」キーを選択する画面で、右図が左図で「次を選択」キーをタップしたので、図１０の選択画像が背景貼付された画面による各設定画面図
【図２５】本発明における、パソコンでの「着せ替え」アプリの起動によりフルキーボード部と各設定を実施するための機能キーが表示された設定画面図
【図２６】本発明の実施における、取り込み領域を設定するため「任選領域」キーをクリックし、フルキーボード部内で任選領域を選択するための取り込み領域を表示させた設定画面図
【図２７】本発明において、フルキーボード部内で取り込み領域を希望する大きさと位置に配置し、動画を取り込むために「動画」キーをクリックする設定画面図
【図２８】本発明における、任選読込するための動画における再生最初と再生最終の選択画像図
【図２９】本発明による図２７の設定画面に図２８の選択画像を確認する音波形を含む動画確認設定画面と取り込み領域に表示され、編集するための動画編集設定画面とが表示された設定画面図
【図３０】本発明による図２９の設定画面において、２０秒後の画像確認（音波形を含む）と取り込み領域内の選択画像を中央に移動させ、「次を選択」キーをクリックする設定画面図
【図３１】本発明において、取り込み領域における任選領域からの任選読込により選択画像の一部が背景貼付され、「Ｅｓｃ」、「Ｃａｐｓ」、「Ｅｎｔｅｒ」のキーを選択し、「図形」キーをクリックする設定画面図
【図３２】本発明における、図形を選択及び編集する図形編集設定画面図
【図３３】本発明における、図３２の図形編集設定画面で制作、編集された五角形デザイン図柄による回転する効果（エフェクト）を確認する五角形デザイン図柄図
【図３４】本発明により背景貼付されたフルキーボード部を表示するメモ帳入力画面図
【発明を実施するための形態】
【実施例１】
【００１２】
図１は、従来のスマートフォンにおけるメモ帳アプリを起動させた図で、下方向にキーとキーとの間に隙間がなく、全体がキー部分で構成された日本語のローマ字入力を実施するキーボード部（２１）が表示された状態の横表示によるメモ帳入力画面（１１）である。
【００１３】
図２は、本発明による機能により構築された「多様な着せ替え」アプリを起動させ、キーボードに背景画として背景貼付が可能な設定画面が表示され、最上部に「多様な着せ替え」と表記されている下方向に図１におけるメモ帳入力画面（１１）の下方向に表示されていたのと同じキーボード部（２１）が表示してあり、さらに下方向に四角い枠の形状で設定されているキーが各機能キーで、各機能キーを操作することでキーボード部（２１）における指定領域を基準に指定読込や背景貼付等の作業を実施するのが、本図では「全キーの選択」キーをタップした次に「写真」キーをタップする本発明の多様な着せ替えアプリの設定画面（３１）である。
【００１４】
図２に表示されている各機能キーの役割は
１．     「全キーの選択」キー（４１）はキーボード部に配置されている全てのキーの領域を選択する機能キー
２．     「写真」キー（４２）は本発明を実施するスマートフォン内に保存されている画像（動画を含む）を検索して選択し、該選択した画像を動音画材として指定読込を実施するための機能キー
３．     「カメラ」キー（４３）は本発明を実施するスマートフォン内のカメラ機能を起動し、撮影された画像（動画を含む）を動音画材として指定読込を実施するための機能キー
４．     「アイテム」キー（４４）は多様な着せ替えアプリ内に準備されている画像及び本発明を実施するスマートフォンによる画面から選択し、該選択した動音画材による個毎読込を実施する機能キー
５．     「次を選択」キー（４５）はキーボード部内で選択された領域（１個ずつのキーを含む）内に表示されている部分だけの画像をキーボード部内で背景貼付を実施する機能キー
６．     「確定」キー（４６）は「次を選択」キー（４５）の機能を実施後、キーボード部全体に背景として表示されている画像をキーボード部内の背景画として確定し、多様な着せ替えアプリを終了する機能キー
７．     「初期設定に戻る」キー（４７）は多様な着せ替えアプリを初めての導入時に設定されているキーボード部の背景画に設定しなおして多様な着せ替えアプリを終了する機能キー
８．     「取り込み領域」キー（４８）はキーボード部内で動音編集が可能な任選領域を表示させる機能キー
【００１５】
図３は、図２で「写真」キー（４２）をタップしたので、本発明を実施するスマートフォン内に保存されていた写真等の画像が選択できる画面（非指図）が表示され、該表示された画面の中から選択した選択画像（５1）である。
【００１６】
図４は、図３の選択画像（５１）の選択と同時に本図の設定画面（３１）が表示され、図３の選択画像（５１）をキーボード部（２１）全体に任選読込を実施（キーボード部外の画像は不表示）し、「次を選択」キー（４５）を選択する設定画面（３１）の図である。
【００１７】
図５は、図４で「次を選択」キー（４５）をタップしたので、任選読込された動音画材がキーボード部（２１）全体の領域で背景貼付が実施され、新しい背景画が設定されたキーボード部（２２）が表示され、新たに、「Ｗ、Ｅ、Ｓ、Ｄ」の４個のキーを選択して「４個組内領域」とし、「カメラ」キー（４３）を選択する設定画面（３１）の図である。
【００１８】
図６は、図５で、「カメラ」キー（４３）タップしたので、本発明を実施するスマートフォン内のカメラ機能（カメラロールなど）が起動し、撮影された画像で、撮影の実施と同時に撮影画像（６）として設定された図である。
【００１９】
図７は、図５で選択した４個組内領域を基準に図６の撮影画像（６）の設定と同時に組内読込が実施された設定画面（３１）の図である。
【００２０】
図８は、図７で組内読込した撮影画像（６）を任意の位置（４個組内領域の中央）に領域編集し、「次を選択」キー（４５）を選択する設定画面（３１）の図である。
【００２１】
図９は、図８で「次を選択」キー（４５）をタップしたので、４個組内領域を基準に領域編集した撮影画像が背景貼付され、新しい背景画が設定されたキーボード部（２３）が表示され、新たに、「Ｔ、Ｙ、Ｕ、Ｏ、Ｇ、Ｈ、Ｊ、Ｋ、Ｃ、Ｖ、Ｂ、Ｎ、Ｍ」による１３個のキーをタップすることで選択して「１３個組内領域」とし、「写真」キー（４２）を選択する設定画面（３１）の図である。
【００２２】
図１０は、図９で「写真」キー（４２）をタップしたので、本発明を実施するスマートフォン内に保存されていた動音画材を選択できる画面（非指図）が表示され、該表示された画面の中から選択した選択画像（５２）（動画も可）である。
【００２３】
図１１は、図９の設定画面（３１）からの操作で１３個組内領域を基準に図１０の選択画像（５２）が組内読込され、領域編集をしないで「次を選択」キー（４５）を選択する設定画面（３１）の図である。
【００２４】
図１２は、図１１で「次を選択」キー（４５）をタップしたので、組内読込された動音画材が組内領域内に表示されている画像だけが背景貼付され、新しい背景画が設定されたキーボード部（２４）が表示され、新たに、「Ｑ、Ｒ、Ｔ、Ｉ、Ｏ、Ｐ、Ａ、Ｆ、Ｌ、―、Ｚ、Ｘ」による１２個のキーをタップすることで選択して「１２個組内領域」とし、「アイテム」キー（４４）を選択する設定画面（３１）の図である。
【００２５】
図１３は、図１２で「アイテム」キー（４４）をタップしたので、好みの図柄が選択できるよう本発明の「多様な着せ替え」アプリに準備されている「写真」キーと「カメラ」キーも選択できる図柄スクロール画面（７）が起動表示し、５角形の図柄で６番として指定された色により構成されたデザイン図柄（８）をタップすることで個毎読込する図柄スクロール画面（７）の図である。
【００２６】
図１４は、図１２で選択した１２個組内領域内の１個ずつのキー領域に図１３でタップし選択されたデザイン図柄（８）を個毎読込し、「次を選択」キー（４５）を選択する設定画面（３１）の図である。
【００２７】
図１５は、図１４で「次を選択」キーをタップしたので、個毎読込され表示されていた各デザイン図柄（８）が背景貼付され、新しい背景画が設定されたキーボード部（２５）が表示され、「確定」キー（４６）を選択する設定画面（３１）の図である。
【００２８】
図１５で「確定」キー（４６）をタップしたので、キーボード部（２５）に表示されている背景画が確定し、データとして保存され、多様な着せ替えアプリの設定画面（３１）が終了し、本発明を実施するスマートフォン内の従来の待機状態に戻るが、図１５で確定した背景画は本スマートフォンで入力するローマ字入力のキーボード部に反映されている。
【００２９】
図１６は、メモ帳アプリを再起動し、ローマ字入力の設定により、図１５で背景画が設定されたキーボード部（２５）が下方向に表示されて入力待ち状態になっているメモ帳アプリによる入力画面（１２）の図である。
【００３０】
再度、本発明の着せ替え用アプリを起動させると設定画面には、最後に背景が設定されたキーボード部（２５）が表示され、着せ替えを実施している。
【実施例２】
【００３１】
図１７は、本発明の着せ替え用アプリを起動させると図１５のキーボード部（２５）が設定され、図２と同じ構成による設定画面が表示され、「取り込み領域」キー（４８）を選択する設定画面（３２）の図である。
【００３２】
図１８は、図１７で「取り込み領域」キー（４８）をタップしたので、図で示すキーボード中央上下の位置に任選領域とする任意の大きさで取り込み領域（９１）が配置された設定画面（３２）の図である。
【００３３】
図１９は、図１８で設定された任選領域とする取り込み領域（９１）で領域編集を実施してキーボード部（２５）の左側半分に新たな任選領域とする取り込み領域（９２）が配置され、「写真」キー（４２）を選択する設定画面（３２）の図である。
【００３４】
図２０は、図１９で「写真」キーをタップしたので、図１０と同じように本発明を実施するスマートフォン内に保存されていた動音画材を選択できる画面（非指図）が表示され、該表示された画面の中から選択した選択画像（５２）を領域編集された取り込み領域（９２）に任選読込され、動音編集をしない状態から「次を選択」キー（４２）を選択する設定画面（３２）の図である。
【００３５】
図２１は、図２０で「次を選択」キー（４２）をタップしたので、任選読込された動音画材が背景貼付され、新しい背景画が設定されたキーボード部（２６）が表示され、「確定」キー（４６）を選択する設定画面（３２）の図である。
【００３６】
図２１で「確定」キー（４６）をタップしたので、キーボード部（２６）に表示されている背景画が確定し、データとして保存され、多様な着せ替えアプリの設定画面（３２）が終了し、本発明を実施するスマートフォンの従来の待機状態に戻るが、図２１で確定した背景画は本スマートフォンで入力するローマ字入力のキーボード部に反映されている。
【００３７】
図２２では、メモ帳アプリを再起動し、ローマ字入力の設定により、図２１で背景が設定されたキーボード部（２６）が下方向に表示されて入力待ち状態になっているメモ帳アプリによる入力画面（１３）である。
【実施例３】
【００３８】
図２３は、本発明の「多様な着せ替え」アプリを起動により、キーとキーの間にある隙間が余白となり、該余白が最前面に表示される状態で構成された縦表示の日本語入力のテンキーによるキーボード部（２７）と図２と同じ機能キーが設定されていて、キーボード部（２７）に背景画を制作する過程による各設定画面（３３）の図で、左図が「取り込み領域」キーをタップ後、任選領域をキーボード部全体に設定し、「カメラ」キーを選択する設定画面で、右図が左図の「カメラ」キーのタップでカメラ機能が起動し、カメラの撮影画面から保存されている動音画材を検索し、該検索で図１０の選択画像を選択し、該選択と同時に「多様な着せ替え」アプリ設定画面に移行し、該設定画面上で任選読込が実施され、編集で選択画像を中央に移動し、「確定」キーをタップすることで本スマートフォンのテンキー入力により表示されるキーボードの背景画として反映される各設定画面図である。
【００３９】
図２４は、本発明の「多様な着せ替え」アプリを起動により、キーとキーの間にある隙間が余白となり、該余白が最前面に表示される状態で構成された縦表示による「ＱＷＥＲＴＹ」のキーボード部（２８）と図２３と同じ機能キーが設定されていて背景画を制作する各設定画面（３４）の図で、左図が本アプリの起動後、表示された設定画面において、「全キーを選択」キーをタップした後に、「写真」キーをタップし、本発明を実施するスマートフォン内に保存されていた動音画材が選択できる画面（非指図）が表示され、該表示された画面の中から選択した選択画像が動音画材として組内読込され、編集により選択画像がキーボード部（２８）の中央に平行移動した状態から「次を選択」キーを選択する設定画面（３４）の図で、右図は左図で「次を選択」キーをタップしたので、図で示すよう、動音画材の全体から各キーの領域内に表示されている部分だけが背景貼付され、「確定」キーのタップにより本スマートフォンの「ＱＷＥＲＴＹ」キー入力により表示されるキーボードの背景画として反映される各設定画面図（３４）であるが設定によりキーの表示している部分だけではなく、任意の領域とすることも可能である。
【実施例４】
【００４０】
【表１】
2020030761.tif 000003
【００４１】
図２５は、タブレットなどで使用されるソフト（画像）キーボードにおいて、数字も入力できる「ＱＷＥＲＴＹ」キーのフルキーボードを対象に、パソコンの画面（ブラウン管を含む）上で使用し、該使用において、背景画を着せ替えるための本発明の着せ替えアプリの設定画面（３５）で、
１．     任選領域と表示された「任選領域」キー（４ａ）はフルキーボード部（２９）内で、変更可能な状態で任意の場所や選択されたキー全体の上下の幅から左右の幅の空間に取り込み領域（９）を配置する機能キー
２．     キー領域と表示された「キー領域」キー（４ｂ）は組内領域が表示されている上下の幅から左右の幅の空間に動音画材を取り込み、選択されたキーの領域だけに表示する機能キー
３．     動画と表示された「動画」キー（４ｃ）は取り込み領域（９）やキーの一個分や複数個分内又はキーの１個毎にパソコンからの取得や保存されていた動画を取り込み、動画編集設定画面（３６ａ）や動画確認設定画面（３６ｂ）を着せ替えアプリの設定画面（３５）に表示する機能キー
４．     画像と表示された「画像」キー（４ｄ）は取り込み領域（９）や組内領域又はキーの１個毎にパソコンからの取得や保存されていた画像を指定読込して、画像編集設定画面（不指図）や画像確認設定画面（不指図）を着せ替えアプリの設定画面（３５）に表示する機能キー
５．     図形と表示された「図形」キー（４ｅ）は図形編集設定画面（３８ａ）や図形確認設定画面（不指図）を着せ替えアプリの設定画面（３５）に表示し、図形編集設定画面（３８ａ）から図形を選択し、動音編集する機能キー
６．     次を選択と表示された「次を選択」キー（４ｆ）は取り込み領域（９）内に表示されている動音画材や動音偏材として貼付けた状態（仮確定）で着せ替えアプリの設定画面（３５）に戻る機能キー
７．     キー毎と表示された「キー毎」キー（４ｇ）は選択された同一の動音画材や動音偏材をキーの１個毎に背景画として背景貼付し、着せ替えアプリの設定画面（３５）に戻る機能キー
８．     確定と表示された「確定」キー（４ｈ）は取り込み領域（９）内に表示されている動音画材や動音偏材を背景画として貼付けた状態や現状で仮確定されている背景画を確定し、着せ替えアプリの設定画面（３５）を終了する機能キー
で、下方向に白地を背景画としたフルキーボード部（２９）が表示されていて、表１は、フルキーボード部（２９）として表示するキーの区画線とキーや予測単語などの文字が表示されている最前面オブジェクトのレイヤー１と背景画とする白地が最背面オブジェクトのフレイヤー２である。
【００４２】
図２６は、「任選領域」キー（４ａ）を選択（マウスでクリック）することでフルキーボード部（２９）の中央に取り込み領域（９ａ）が表示された着せ替えアプリの設定画面（３５）である。
【００４３】
図２７のフルキーボード部（２９）に配置された取り込み領域（９ｂ）は、図２６での取り込み領域（９ａ）をマウス操作で拡大しながら図で示す位置まで移動して任選領域としたもので、その後に「動画」キー（４ｃ）を選択する設定画面（３５）図である。
【００４４】
図２８は、図２７で「動画」キー（４ｃ）を選択したので、パソコン内に保存されている撮影動画から任意により風の音等が録音された画像が選択画像（５３）として選択され、上段が音源を含む再生最初の選択画像（５３ａ）で下段が音源を含む再生最終の選択画像（５３ｂ）である。
【００４５】
図２９は、選択された選択画像（５３）を編集するための動画編集設定画面（３６ａ）と再生最初の選択画像（５３ａ）と音波形が表示された動画確認設定画面（３６ｂ）が着せ替えアプリの設定画面（３５）に設定された図で、図２７での取り込み領域（９ｂ）である任選領域の上下の幅に合うように調節された再生最初の選択画像（５３ａ）が取り込まれた図であるが動画確認設定画面（３６ｂ）に表示されている音波形は音源があれば表示され、該音波形の表示部分を選択すると動画編集設定画面（３６ａ）が音源編集設定画面（不指図）に変更され編集が可能になる。
【００４６】
図３０は、動画編集設定画面（３６ａ）に表示されている上段の「Ｘ」座標が「−１０」から「０」になった事で移動による編集がなされたことが判り、下段の「秒数指定」と表記された右側のスライドボリュームが図で示すように左端から右端に移動（編集）したことから、取り込み領域（９ｂ）である任選領域の中央に移動した再生最終の選択画像（５３ｂ）が動画確認設定画面（３６ｂ）にも表示されていて、「次を選択」キー（４ｆ）を選択する。
【００４７】
【表２】
2020030761.tif 000004
【００４８】
表２は図３１で示すようにフルキーボード部（２９ａ）のレイヤー表で、図３０により「次を選択」キー（４ｆ）を選択したのでレイヤー２では白地から取り込み領域（９ｂ）の部分が削除され、最背面のレイヤー３として選択画像（５３）が移動後の最終位置で最背面オブジェクトのレイヤー３として追加設定されている。
【００４９】
図３１は、フルキーボード部（２９ａ）の取り込み領域（９ｂ）内に選択画像（５３ａ）の一部が表示され、任選領域に任選読込された状態で、キーの１個づつを選択して、その都度、選択画像（５３）を選択し、任意の動音編集後に背景画とすることは可能であるが、ここでは「Ｅｓｃ」、「Ｃａｐｓ」、「Ｅｎｔｅｒ」のキーを選択した後に機能キーの「図形」キー（４ｅ）を選択する図である。
【００５０】
図３２は、図３１で「図形」キー（４ｅ）を選択したので設定画面（不指図）に表示される図形編集設定画面（３８ａ）で、「図形の種類」キー（４ｋ）から「五角形」を選択し、「秒数指定」キー（４ｊ）に２０秒を指定し、「回転」キー（４ｈ）では１８０度回転表示するように設定した。
【００５１】
図３３は、図３２で「図形の種類」キー（４ｋ）から選択した五角形デザイン図柄（８１）で左側が回転前の五角形デザイン図柄（８１ａ）で右側が回転後の五角形デザイン図柄（８１ｂ）である。
【００５２】
図３４は、図３２の図形編集設定画面（３８ａ）からの設定後に設定画面（（不指図）に表示されている「確定」キー（４ｈ）を選択したので「Ｅｓｃ」、「Ｃａｐｓ」、「Ｅｎｔｅｒ」のキーに同じ五角形デザイン図柄（８１）が背景画として表示されている状態のメモ帳入力画面（１４）で、選択画像（５３）の再生と同時に音源も再生されていた。
【００５３】
【表３】
2020030761.tif 000005
【００５４】
表３は、フルキーボード部（２９b）を表示する、レイヤー１とレイヤー２の間に選択された「Ｅｓｃ」、「Ｃａｐｓ」、「Ｅｎｔｅｒ」のキーの位置に回転効果が編集された同じ五角形デザイン図柄（８１）が表示設定されたレイヤー４が追加設定されたフルキーボード部（２９ｂ）のレイヤー表である。
【００５５】
図３４における、表示画面の最下位の位置に設定されるフルキーボード部（２９ｂ）を表示するにおいて、左右の余白をキーボードの一部として設定されたフルキーボード部（２９ｃ）においても本発明が実施できる。
【００５６】
図３２の図形編集設定画面（３８ａ）及び動画編集設定画面（３６ａ）と画像編集設定画面（不指図）における最上部右端に表示されている四角い枠に「＋」と表示されたキーをクリックすると、「色調補正」、「クリッピング」、「ぼかし」、「クロマキー」等の項目が任意により設定してあり、スクロールにより選択し、編集や効果が実施可能になっている。
【００５７】
図１３では、表示され選択したデザイン図柄（８）以外に設定画面に表示される「写真」キーや「カメラ」キーが設定してあり、各タップにより動音画材を選択して個毎読込も可能であるが、全実施例において、任意による設定として、エフェクトなどが可能な編集（動画を含む）ソフトを導入し、該導入したソフトを起動させる専用キーなどを設け、該専用キーのタップによる起動後に任意により動音画材を制作し、該制作した動音画材を指定読込が可能な設定も実施でき、液晶を含む画像として表示される全てのキーボードを対象にした「多様な着せ替え」アプリであるが、該アプリ以外で、指定読込の実施により表示された動音画材及び動音編集後の動音画材を編集機能におけるレイヤーとして保存し、任意により表示順位を変更後に背景貼付する設定も実施でき、キーボード部全体において、動音画材を読み込みする領域を指定し、任意により動音編集後に保存が可能であれば本発明は実施できる。
【００５８】
実施例１、２、３において、静止画像を対象に実施しているが、動画も同様に任選読込、組内読込、個毎読込が可能で同じく動音編集も可能であり、任選領域や組内領域においても文字を入力するキーを対象にした実施であるが、機能キーや矢印キーなどを含み、パソコンなどの液晶を含む画像に表示されるキーボード部全体において、編集可能な状態による背景画の設定である。
【符号の説明】
【００５９】
１１、１２、１３                                      メモ帳入力画面
２１、２２、２３、２４、２５、２６、２７、２８、２９  キーボード部
３１、３２、３３、３４、３５、３６、３８              設定画面
４、４１、４２、４３、４４、４５、４６、４７、４８    キー
５１、５２、５３                                      選択画像
６                                                    撮影画像
７                                                    図柄スクロール画面
８、８１                                              デザイン図柄
９、９１、９２                                        取り込み領域      
【図１】
2020030761.tif 000006
【図２】
2020030761.tif 000007
【図３】
2020030761.tif 000008
【図４】
2020030761.tif 000009
【図５】
2020030761.tif 000010
【図６】
2020030761.tif 000011
【図７】
2020030761.tif 000012
【図８】
2020030761.tif 000013
【図９】
2020030761.tif 000014
【図１０】
2020030761.tif 000015
【図１１】
2020030761.tif 000016
【図１２】
2020030761.tif 000017
【図１３】
2020030761.tif 000018
【図１４】
2020030761.tif 000019
【図１５】
2020030761.tif 000020
【図１６】
2020030761.tif 000021
【図１７】
2020030761.tif 000022
【図１８】
2020030761.tif 000023
【図１９】
2020030761.tif 000024
【図２０】
2020030761.tif 000025
【図２１】
2020030761.tif 000026
【図２２】
2020030761.tif 000027
【図２３】
2020030761.tif 000028
【図２４】
2020030761.tif 000029
【図２５】
2020030761.tif 000030
【図２６】
2020030761.tif 000031
【図２７】
2020030761.tif 000032
【図２８】
2020030761.tif 000033
【図２９】
2020030761.tif 000034
【図３０】
2020030761.tif 000035
【図３１】
2020030761.tif 000036
【図３２】
2020030761.tif 000037
【図３３】
2020030761.tif 000038
【図３４】
2020030761.tif 000039